(57)【要約】【課題】多孔シート状の張材を背凭れフレームの前後両面に張設した場合に、前後における張材の孔部が互いに干渉し合って発生するモアレ模様を、変化に富み、デザイン的にも深みのある優れた模様に鮮明に現出させることができるようにした椅子の背凭れ装置を提供する。【解決手段】椅子における上下方向を向く左右の側部フレー１８，１８の上端同士を、左右方向を向く上部フレーム１９により連結して、背凭れフレーム２２を形成するとともに、この背凭れフレーム２２の前面と後面とに、メッシュ状の張材２６を張設する。背凭れフレーム２６の前後両面における張材２６の前後両面２６Ａ、２６Ｂ側の網目２７，２８の形状を同一形状とし、かつそれらの網目２７，２８の大きさを、背凭れフレーム２２の前面と後面とで異なるものとする。【選択図】  図２
2010207290.tif 000002
【特許請求の範囲】
【請求項１】
上下方向を向く左右の側部フレームの上端同士を、左右方向を向く上部フレームにより連結して、背凭れフレームを形成するとともに、この背凭れフレームの前面と後面とに、多孔シート状の張材を張設してなる椅子の背凭れ装置において、
前記背凭れフレームの前後両面における張材の前後両面の孔部の形状を同一形状とし、かつそれらの孔部の大きさを、前記背凭れフレームの前面と後面とで異なるものとしたことを特徴とする椅子の背凭れ装置。
【請求項２】
多孔シート状の張材を、メッシュ状の張材とした請求項１記載の椅子の背凭れ装置。
【請求項３】
多孔シート状の張材における各孔部の大きさ、またはメッシュ状の張材における網目の大きさを、背凭れフレームの前面側を細かく、その後面側を粗くした請求項１または２記載の椅子の背凭れ装置。
【請求項４】
張材の前面側の孔部または網目の大きさを、その後面側の孔部または網目の大きさに対して９５％〜８０％の範囲内のものとした請求項１〜３のいずれかに記載の椅子の背凭れ装置。
【請求項５】
張材を、下方が開口する袋状とした請求項１〜４のいずれかに記載の椅子の背凭れ装置。
【発明の詳細な説明】
【技術分野】
【０００１】
本発明は、背凭れの背凭れフレームに多孔シート状の張材、就中メッシュ状（網目状）をなす張材が張設された椅子の背凭れ装置に係り、特に背凭れフレームの前面と後面との両面に張材を張設した椅子の背凭れ装置に関する。
【背景技術】
【０００２】
従来の椅子の背凭れ装置においては、上下方向を向く左右の側部フレームの上端同士を、左右方向を向く上部フレームにより連結して、背凭れフレームを形成するとともに、この背凭れフレームに、多孔シート状の張材、たとえば下方が開口する袋状に編成されたメッシュ状をなす張材を、上方から被嵌することにより、前記背凭れフレームの前面と後面とに、張材が張設されるようにした構成を有するものが公知となっている（特許文献１参照）。
【０００３】
しかし、特許文献１に記載の背凭れ構造では、背凭れとしての通気性と弾力性を向上させる点において優れた効果を奏するものであるが、背凭れフレームの前面と後面とに張設した張材が、メッシュ状の張材であることにより、、前後における張材同士の網目が干渉し合って発生する、所謂「干渉縞」であるモアレ模様が、単に網目の形状に似た単一の不鮮明な模様となって現出するに過ぎず、単純で変化に乏しく、デザイン的にも深みがないという問題があった。
【先行技術文献】
【特許文献】
【０００４】
【特許文献１】ヨーロッパ特許第９２２４１９号公報
【発明の概要】
【発明が解決しようとする課題】
【０００５】
本発明は、上記した現状に鑑み、多孔シート状の張材を背凭れフレームの前後両面に張設した場合に、前後における張材の孔部が互いに干渉し合って発生するモアレ模様を、変化に富み、デザイン的にも深みのある優れた模様に鮮明に現出させることができるようにした椅子の背凭れ装置を提供することを目的としている。
【課題を解決するための手段】
【０００６】
上記課題は、「特許請求の範囲」の欄における各請求項に記載するように、次のような構成からなる発明によって解決される。
【０００７】
(１)   上下方向を向く左右の側部フレームの上端同士を、左右方向を向く上部フレームにより連結して、背凭れフレームを形成するとともに、この背凭れフレームの前面と後面とに、多孔シート状の張材を張設してなる椅子の背凭れ装置において、前記背凭れフレームの前後両面における張材の前後両面の孔部の形状を同一形状とし、かつそれらの孔部の大きさを、前記背凭れフレームの前面と後面とで異なるものとする。
【０００８】
（２）  上記（１）項において、多孔シート状の張材を、メッシュ状の張材とする。
【０００９】
（３）  上記（１）項または（２）項において、多孔シート状の張材における各孔部の大きさ、またはメッシュ状の張材における網目の大きさを、背凭れフレームの前面側を細かく、その後面側を粗くする。
【００１０】
（４）  上記（１）〜（３）項のいずれかにおいて、張材の前面側の孔部または網目の大きさを、その後面側の孔部または網目の大きさに対して９５％〜８０％の範囲内のものとする。
【００１１】
（５）  上記（１）〜（４）項のいずれかにおいて、張材を、下方が開口する袋状とする。
発明の具体的な内容は、次の通りである。
【発明の効果】
【００１２】
本発明によると、次のような効果が奏せられる。
請求項１記載の発明によれば、背凭れフレームの前後両面における張材の前後両面の孔部の形状を同一形状とし、かつそれらの孔部の大きさを、前記背凭れフレームの前面と後面とで異なるものとしてあるため、多孔シート状の張材を背凭れフレームの前後両面に張設した場合に、前後における張材の孔部が互いに干渉し合って発生するモアレ模様を、孔部の形状に似た複数の集合形状からなる明瞭な模様となって、背凭れ全面に鮮明に現出させることができ、変化に富み、デザイン的にも深みのある優れた模様に現出させることができる。
【００１３】
請求項２記載の発明によれば、多孔シート状の張材を、メッシュ状をなす張材としてあるため、背凭れとしての通気性と弾力性を向上させる。
【００１４】
請求項３記載の発明によれば、多孔シート状の張材における各孔部の大きさ、またはメッシュ状の張材における網目の大きさを、背凭れフレームの前面側を細かく、その後面側を粗くしてあるため、着座者が背凭れに寄り掛かったときに、背凭れフレームに加わる荷重に対する適正な撓み量を得易くすることができる。
【００１５】
請求４記載の発明によれば、張材の前面側の孔部または網目の大きさを、その後面側の網目の大きさに対して９５％〜８０％の範囲内としてあるため、複雑で変化に富み、デザイン的にも深みのある優れたモアレ模様を、より明瞭に現出させることができる。
【００１６】
請求項５記載の発明によれば、張材を、下方が開口する袋状としてあるため、背凭れフレームに張材を容易に被着することができる。
【図面の簡単な説明】
【００１７】
【図１】本発明における一実施形態の背凭れ装置を備えた椅子の側面図である。（実施例）
【図２】椅子の背凭れにおける前面の張材の一部を切欠いて、前面の張材と後面の張材を部分的に拡大して示す正面図である。
【図３】図２のIII−III線における背凭れの要部拡大縦断面図である。
【図４】背凭れフレームへの張材の張設状態を示す分解斜視図である。
【図５】後面の張材に対する前面の張材の孔部の大きさの変化（％）によるモアレ模様のパターンを示し、図５（Ａ）は、後面の張材に対して前面の張材の孔部が９５％の大きさの場合の模様図、図５（Ｂ）は、後面の張材に対して前面の張材の孔部が９０％の大きさの場合の模様図、図５（Ｃ）は、後面の張材に対して前面の張材の孔部が８０％の大きさの場合の模様図である。
【図６】後面の張材に対する前面の張材の網目の大きさの変化（％）によるモアレ模様のパターンの他の実施形態を示し、図６（Ａ）は、後面の張材に対して前面の張材の網目が９５％の大きさの場合の模様図、図６（Ｂ）は、後面の張材に対して前面の張材の網目が９０％の大きさの場合の模様図、図６（Ｃ）は、後面の張材に対して前面の張材の網目が８０％の大きさの場合の模様図である。
【発明を実施するための形態】
【００１８】
本発明の一実施形態を、添付図面を参照して説明する。
【実施例】
【００１９】
図１は、本発明における一実施形態の背凭れ装置を備えた椅子の側面図、図２は、椅子の背凭れにおける前面の張材の一部を切欠いて、前面の張材と後面の張材を部分的に拡大して示す正面図、図３は、図２のIII−III線における背凭れの要部拡大縦断面図である。
【００２０】
本発明の椅子は、図１に示すように、円板のベース１の中央に、ガススプリング(図示略)により高さ調節可能にした脚柱２が立設されているとともに、この脚柱２の上端には、支基３が固着され、かつこの支基３には、座の下部構成体４が設けられている。
【００２１】
支基３は、平面視および側面視において、脚柱２の上端より前方に向かってほぼ三角形状に拡開する形状をなすとともに、その前端部には、座５の前下部が、左右方向の基軸６をもって枢着されている。
【００２２】
座５は、図１に示すように、後上向きに傾斜する待機状態のＡ位置と、図１に想像線で示すように、ほぼ水平な通常使用状態のＢ位置と、やや後下向きに傾斜するリクライニング使用状態のＣ位置とに、基軸６を中心として回動しうるようになっている。
【００２３】
座５には、その両側後部において、左右１対の肘掛け７、７が、一体的に形成されている。
各肘掛け７は、座５の後部両側から起立し、かつ後面が、後記する背凭れ９の支軸１１を中心とする側面視半円弧状または扇形の湾曲面８に突出する背凭れ枢支部７ａと、この背凭れ枢支部７ａの上部より前向きに延出する上向弧状の肘当て部７ｂとからなり、全体の形状は、前上方に向かって収束する側面視ほぼ前向三角形をなしている。
【００２４】
肘当て部７ｂの前後方向の寸法は、その前端部が、図１に示す待機状態のＡ位置において、座５の枢着部である基軸６の中心を通る垂直線よりも前方に位置するように設定されている。
また、座５が通常使用状態のＢ位置にあるときには、肘当て部７ｂの前端部が、座５が枢着されている基軸６の中心を通る垂直線よりも若干後方に位置するようにしてある。
【００２５】
左右の肘掛け７、７における背凭れ枢支部７ａのやや前方寄りの外側面には、背凭れ９の両側下部より前方に延出する前向側片１０の前端部が、ほぼ左右方向を向く支軸１１をもって枢着され、背凭れ９は、座５および肘掛け７に対して、通常使用状態のＢ位置と、リクライニング使用状態のＣ位置リクライニング使用状態のＣ位置とに、支軸１１を中心として回動しうるようになっている。
なお、背凭れ枢支部７ａの外側面は、前向側片１０の枢着部が最外方に位置するように外向きに膨出させてあり、前向側片１０の内面が、背凭れ枢支部７ａの外側面と広範囲に接触しないようにしてある。
【００２６】
背凭れ９の両側下部における背凭れ枢支部７ａの後面と対向する部分は、背凭れ枢支部７ａの後面の湾曲面８とほぼ補形をなす円弧状の凹曲面１２としてあり、互いの対向面が近接するようにして、背凭れ９は、支軸１１を中心として回動しうるようになっている。
背凭れ９における後記する下部フレーム２０の左右方向の中央部と、支基３の前端部上面との間には、背凭れ９を起立方向に付勢するガススプリング、または圧縮ばね等からなる第１の付勢手段１３が設けられている。
【００２７】
また、支基３内には、座５を待機状態のＡ位置に向かって付勢することにより、着座者が起立するのを補助しうる第２の付勢手段１４が設けられている。
この第２の付勢手段１４は、例えば軸線が左右方向を向くゴムトーションユニット１５と、このゴムトーションユニット１５に連係され、図１において側面視反時計方向に付勢された後方を向く第１リンク１６と、この第１リンク１６の先端部に左右方向の軸をもって下端部が枢着され、かつ上端部が、座５の前後方向の中間部の下面に、左右方向の軸をもって枢着された斜め後上方を向く第２リンク１７とからなっている。
【００２８】
肘掛け７は、座５と一体的に形成されているので、座５が待機状態のＡ位置と通常使用状態のＢ位置とに回動したり、背凭れ９が傾動したりしても、座５に対する肘掛け７の相対位置が変化することはなく、待機状態のＡ位置と通常使用状態のＢ位置まで、肘を自然な状態で肘掛け７に掛けることができ、椅子の使い勝手が向上する。
【００２９】
また、座５が待機状態のＡ位置にあるときは、肘掛け７における肘当て部７ｂの前端部が、座５を枢着している基軸６の中心を通る垂直線よりも前方に位置するようにしてあるので、待機状態のＡ位置において、肘当て部７ｂの前端部に手を掛けて着座する際に、その荷重により、座５が下方に回動してしまう恐れはなく、安心して着座することができる。
【００３０】
さらに、座５の後両側部より起立する背凭れ枢支部７ａに、背凭れ９の両側下部より前方に延出する前向側片１０の前端部を枢着し、かつ背凭れ枢支部７ａと背凭れ９の下部との対向面を、支軸１１を中心とする円弧状または扇形の湾曲面８および円弧状の凹曲面１２としてあるので、背凭れ９を、座５および肘掛け７と干渉させることなく、大きく後傾させることができる。
しかも、背凭れ９の下部は、座５と一体をなす肘掛け７の背凭れ枢支部７ａに、強固に枢着することができるので、上下寸法の大きな背凭れ９でも、安定して、円滑に回動しうるように支持することができる。
【００３１】
背凭れ９は、図２に示すように、上下方向を向く左右１対の側部フレーム１８，１８と、これら左右の側部フレーム１８，１８の上端同士を連結する、左右方向を向く上部フレーム１９と、左右の側部フレーム１８、１８の下端同士を連結する、左右方向を向く下部フレーム２０と、前記上部フレーム１９と下部フレーム２０の左右方向の中間部同士を連結し、かつ両側部フレーム１８、１８より後方に位置する上下方向を向く中間フレーム２１とをもって、正面形が縦長方形枠状に形成した背凭れフレーム２２を備えている。
【００３２】
背凭れフレーム２２は、両側部フレーム１８、１８の下部と、中間フレーム２１の下部とは、側面視において、曲率中心が前方に位置する円弧状の湾曲形状とし、上部フレーム１９と下部フレーム２０とは、平面視において、中間部が両側部より後方に位置する湾曲形状としてある。
これにより、背凭れ９の下部が、座５および肘掛け７の後端より後方に離間し、背凭れ９が回動する際、座５および肘掛け７の後端と干渉するのが防止され、背凭れ９の後方への回動範囲を大とすることができる。
【００３３】
背凭れフレーム２２の上端には、両側部フレーム１８、１８の上端に、上方を向き、かつ側面視において中間部が上下部より前方に位置するように湾曲する延長フレーム２３、２３を連設し、両延長フレーム２３、２３の上端同士を、左右方向を向く頂部フレーム２４により連結することにより形成したヘッドレストフレーム２５が一体的に設けられている。
【００３４】
背凭れフレーム２２とヘッドレストフレーム２５とには、多孔シート状の張材、例えばクロス等によって下端と両側下部とが開口する袋状に編成した伸縮性を有するメッシュ状の張材２６が張設されている。
【００３５】
張材２６は、図２および図３に示すように、背凭れフレー２２に対して前面２６Ａ側における網目２７と、その後面２６Ｂ側における網目２８の形状が同一形状となっているとともに、これら網目２７，２８の大きさは、前面２６Ａ側を細かくし、その後面２６Ｂ側を粗くなるように、互いに異ならせてある。
これにより、椅子の背凭れ９を前方から視認したとき、網目２７，２８の形状に似た複数の集合形状からなる明瞭な模様となって、背凭れ９の全面に鮮明に現出しうるようになっている。
【００３６】
この場合、張材２６における前面２６Ａの網目２７の大きさは、後面２６Ｂの網目２８の大きさを１００％としたときに、前面２６Ａの網目２７の大きさが、後面２６Ｂの網目２８に対して９５％から８０％の範囲内とすることが好ましい。
すなわち、張材２６における前面２６Ａの網目２７の大きさが９５％以上のように、後面２６Ｂの網目２８の大きさと差がない場合には、モレア模様が、従来とほぼ同様に、単純で変化に乏しく、デザイン的にも深みがなく、前面２６Ａの網目２７の大きさが８０％以下、たとえば５０％では、組合せによる面白さがなく、また、２５％以下では、単に、前面２６Ａの網目２７の柄と後面２６Ｂの網目２８の柄とを重ね合わせた、変化に乏しい模様になる。
【００３７】
図４は、背凭れフレームへの張材の張設状態を示す分解斜視図である。
【００３８】
背凭れフレーム２２に張材２６を張設するには、図４に示すように、袋状に形成した張材２６の下部開口を利用して、張材２６を背凭れフレーム２２の上端から被嵌することにより行われる。
張材２６は、その下端開口部の前後縁を、背凭れフレーム２２における下部フレーム２０の下方において、面ファスナ、ホック、ファスナ、その他の結合手段(いずれも図示略)により、互いに結合することにより、下部フレーム２０の下端部に取付けられている。
【００３９】
図５は、後面の張材に対する前面の張材の網目の大きさの変化（％）によるモアレ模様のパターンを示し、図５（Ａ）は、後面の張材に対して前面の張材の網目が９５％の大きさの場合の模様図、図５（Ｂ）は、後面の張材に対して前面の張材の網目が９０％の大きさの場合の模様図、図５（Ｃ）は、後面の張材に対して前面の張材の網目が８０％の大きさの場合の模様図である。
【００４０】
図５に示すように、張材２６における前面２６Ａの網目２７と後面２６Ｂの網目２８を、同一形状の丸（球）型にした場合には、網目２７，２８の丸（球）状の形状に似た複数の集合形状からなる明瞭なモレア模様が、後面の張材２６Ｂの網目２８に対して前面の張材２６Ａの網目２７の大きさが小さくなるにしたがって数を増やしながら、背凭れ９の全面に鮮明に現出する。
【００４１】
図６は、後面の張材に対する前面の張材の網目の大きさの変化（％）によるモアレ模様のパターンの他の実施形態を示し、図６（Ａ）は、後面の張材に対して前面の張材の網目が９５％の大きさの場合の模様図、図６（Ｂ）は、後面の張材に対して前面の張材の網目が９０％の大きさの場合の模様図、図６（Ｃ）は、後面の張材に対して前面の張材の網目が８０％の大きさの場合の模様図である。
【００４２】
図６に示すように、張材２６における前面２６Ａの網目２７と後面２６Ｂの網目２８を、同一形状の縦長四角型にした場合には、縦筋状のモレア模様が、規則的に横方向に並列して、背凭れ９の全面に亘って鮮明に現出する。
【００４３】
なお、上記の実施形態では、多孔シート状の張材として、クロス等からなるメッシュ状をなす張材を用いたが、孔部を多数開口させたパンチングメタルや、網目状に編成したワイヤ等を用いることも可能である。
【符号の説明】
【００４４】
１  ベース
２  脚柱
３  支基
４  下部構成体
５  座
６  基軸
７  肘掛け
７ａ 背凭れ枢支部
７ｂ 肘当て部
８  湾曲面
９  背凭れ
１０  前向側片
１１  支軸
１２  凹曲面
１３  第１の付勢手段
１４  第２の付勢手段
１５  ゴムトーションユニット
１６  第１リンク
１７  第２リンク
１８  側部フレーム
１９  上部フレーム
２０  下部フレーム
２１  中間フレーム
２２  背凭れフレーム
２３  延長フレーム
２４  頂部フレーム
２５  ヘッドレストフレーム
２６  張材
２６Ａ  前面
２６Ｂ  後面
２７  網目（孔部）
２８  網目（孔部）
Ａ    待機状態の背凭れ位置
Ｂ    通常使用状態の背凭れ位置
Ｃ    リクライニング使用状態の背凭れ位置
【図１】
2010207290.tif 000003
【図２】
2010207290.tif 000004
【図３】
2010207290.tif 000005
【図４】
2010207290.tif 000006
【図５】
2010207290.tif 000007
【図６】
2010207290.tif 000008